(57)【要約】【課題】メモ帳の使用時にゴミとして捨てられる無駄がなく、又、メモ帳の表裏連続した台紙がなくとも立設物を組立て可能な包装ケースを提供する。【解決手段】収容されたメモ帳の表面に対向する天面部２と、側面部４ａ、４ｂと、後面部６と、底面部１０と、天面部のうち後面部と接続していない部分を立上り片２ａとして一部切り離してケースを開封するための破断線３０，３０と、立上り片の自由端２ｅを係止するため、底面部に設けられた係止手段１０ａとを備え、第１折線２０で立上り片を谷折して立ち上らせ、第２折線２２で立上り片を天面部の残った部分側へ折った後自由端を係止することにより、立上り片が立設可能になっている。【選択図】    図５
2004243586.tif 000002
【特許請求の範囲】
【請求項１】
複数のメモ用紙を積層したメモ帳を収容する包装ケースであって、
収容されたメモ帳の表面に対向する天面部と、前記天面部に接続する側面部と、前記天面部に接続する後面部と、前記天面部に対向する底面部と、前記天面部のうち前記後面部と接続していない部分を立上り片として一部切り離してケースを開封するための破断線と、前記立上り片の自由端を係止するため、前記側面部又は前記底面部に設けられた係止手段とを備え、
前記立上り片と前記天面部の端部体との接続部分に第１折線が形成されているとともに、前記立上り片には前記第１折線に平行な第２折線が形成されていて、
前記第１折線で前記立上り片を谷折して立ち上らせ、前記第２折線で前記立上り片を前記天面部の端部体側へ折った後前記自由端を係止することにより、前記立上り片が立設可能になっていることを特徴とする包装ケース。
【請求項２】
前記立上り片における前記第２折線と前記自由端との間には該第２折線に平行な第３折線が形成され、前記第２折線と第３折線の間における前記立上り片には孔又は開口が設けられていることを特徴とする請求項１に記載の包装ケース。
【請求項３】
前記側面部に、該側面部の一部を切り離すための第２の破断線が形成されていることを特徴とする請求項１又は２に記載の包装ケース。
【請求項４】
前記側面部の端縁と前記底面部の端縁とにより前面開口が形成され、前記立上り片を切り離す前には前記自由端の近傍部分により該前面開口を閉塞可能であることを特徴とする請求項１ないし３のいずれかに記載の包装ケース。
【発明の詳細な説明】
【０００１】
【発明の属する技術分野】
本発明は複数のメモ用紙や付箋紙を冊子状に積層したメモ帳を収容することにより包装として機能する包装ケースに関する。
【０００２】
【従来の技術】
複数のメモ用紙を冊子状に積層したメモ帳は、１枚ずつめくってメモできるので非常に便利なものとして広く普及している。又、卓上メモとして人目に付き易いので、企業の宣伝広告のための販促物としても使用されている。そして、メモ帳の表裏に連続する台紙を、折線に沿って折ることで筆記用具立てを立設させ、さらなる利便性を図った技術も報告されている（例えば、特許文献１参照）。
【０００３】
【特許文献１】
実開昭５７−１３２５６７号公報（第２図）
【０００４】
【発明が解決しようとする課題】
しかしながら、上記した従来技術の場合、次のような問題があった。第１の問題は、メモ帳を流通過程等で搬送するため、樹脂製包装用袋やプラスチック製包装ケースを用いているが、メモ帳使用時にはこれらの包材は不要なものとして捨てられる無駄が生じる点である。第２の問題は、メモ帳の表裏に連続する台紙のコストが無視できない点である。
【０００５】
特に、近年では、販促効果を高めるためメモ帳の一部分に広告を載せることも行われており、メモ帳のサイズが大きくなる傾向にある。この場合、包材としては樹脂袋でなく薄肉プラスチックケースを用いることが多くなるので、ゴミとしての無駄が大きくなる。又、メモ帳のサイズが大きくなると、それに応じて表裏に連続する台紙も大きくする必要があり、コスト増を招く恐れがある。
【０００６】
本発明は、上記した問題点に鑑みてなされたもので、メモ帳の使用時にゴミとして捨てられる無駄がなく、又、メモ帳の表裏に連続する台紙がなくとも立設物を組立て可能な包装ケースを提供することを目的とする。
【０００７】
【課題を解決するための手段】
上記した目的を達成するために、本発明の包装ケースは、複数のメモ用紙を積層したメモ帳を収容する包装ケースであって、収容されたメモ帳の表面に対向する天面部と、前記天面部に接続する側面部と、前記天面部に接続する後面部と、前記天面部に対向する底面部と、前記天面部のうち前記後面部と接続していない部分を立上り片として一部切り離してケースを開封するための破断線と、前記立上り片の自由端を係止するため、前記側面部又は前記底面部に設けられた係止手段とを備え、前記立上り片と前記天面部の端部体との接続部分に第１折線が形成されているとともに、前記立上り片には前記第１折線に平行な第２折線が形成されていて、前記第１折線で前記立上り片を谷折して立ち上らせ、前記第２折線で前記立上り片を前記天面部の端部体側へ折った後前記自由端を係止することにより、前記立上り片が立設可能になっていることを特徴とする。
このようにすると、包装ケースの天面部における立上り片を用いることで、表裏に連続する台紙がなくとも筆記具立て等に利用できる立設物を組み立てることができ、上記台紙が不要となる。又、メモ帳使用時に包装ケースが捨てられる無駄がない。そして、破断線が天面部のうち後面部と接続していない部分を一部切り離すよう構成されているので、天面部のすべてを切り離すのではなく、天面部の残った部分、後面部、側面部、及び底面部が接続された箱構造により強度が保たれるとともに、この箱構造内にメモ帳を保持することができ、使用時にメモ帳がずれるのを防止することができる。
【０００８】
請求項２に記載の包装ケースにおいては、前記立上り片における前記第２折線と前記自由端との間には該第２折線に平行な第３折線が形成され、前記第２折線と第３折線の間における前記立上り片には孔又は開口が設けられていることを特徴とする。
このようにすると、孔を介して筆記具等を保持させたり、開口を介して付箋紙等を保持させることができ、メモホルダーとしての機能を高めることができる。
【０００９】
請求項３に記載の包装ケースにおいては、前記側面部に、該側面部の一部を切り離すための第２の破断線が形成されていることを特徴とする。
このようにすると、メモ帳が少なくなって厚みが減少しても、メモ帳をめくる際に側面部の干渉を防止できるので、メモ帳をめくり易くなる。
【００１０】
請求項４に記載の包装ケースにおいては、前記側面部の端縁と前記底面部の端縁とにより前面開口が形成され、前記立上り片を切り離す前には前記自由端の近傍部分により該前面開口を閉塞可能であることを特徴とする。
このようにすると、前面開口から包装ケースにメモ帳を収容すればよく、収容作業が容易となる。又、自由端の近傍部分は予め側面部及び底面部と切り離されているので、ここを起点として立上り片を切り離し易くなる。
【００１１】
【発明の実施の形態】
以下、本発明について各図を参照して説明する。図１は包装ケースに収容されるメモ帳の一実施形態を示す斜視図であり、図２は本発明にかかる包装ケースの一実施形態を示す斜視図である。
【００１２】
図１において、メモ帳７０は複数のメモ用紙を冊子状に積層してなり、各メモ用紙は後端面（天糊面）７０ｂで糊付けされている。そして、メモ帳７０の表面（メモ書き面）７０ａにメモ書きした後、そのメモ用紙をめくることで、常に新しい表面を表出させることができる。又、この実施形態では、メモ帳７０の前端面７０ｃは斜めに裁断されているとともに、凸部７０ｄが形成されていて、この凸部に広告等を印刷することで宣伝効果を向上させている。そして、このメモ帳７０は製造段階で包装ケースに収容され、各種流通過程を経て搬送され、販売に供された後、使用時には包装ケースが開封される。なお、本発明におけるメモ帳には、後述する付箋紙体も含まれる。
【００１３】
次に、図２において、包装ケース５０は、メモ帳７０とほぼ同形の箱状の透明プラスチックから形成され、天面部２、天面部に接続する右側面部４ａ及び左側面部４ｂ、天面部に接続する後面部６、天面部に滑らかに接続する前面部８、天面部に対向する底面部１０から概略構成されている。そして、メモ帳７０の表面７０ａが包装ケース５０の天面部２に対向し、後端面７０ｂが後面部６に対向するようにして、メモ帳７０が収容される。なお、メモ帳７０の前端面７０ｃが斜めになっており、また凸部７０ｄが形成されているため、包装ケース５０の前面部８も前端面７０ｃや凸部７０ｄに合わせ、湾曲した形状になっている。透明プラスチックとしては、薄肉のポリプロピレンやポリエチレンテレフタレートなどの素材を適宜用いることができる。
【００１４】
天面部２には、後述する第１折線２０、第２折線２２、第３折線２４、第４折線２６が形成されている。又、天面部２のうち第１折線２０と後縁との間の部分（天面部の端部体）２ｂには筆記具保持用孔３６が穿設され、第２折線２２と第３折線２４との間の部分には筆記具保持用孔３８が穿設されている。そして、天面部２と右側面部４ａとの稜線のうち第１折線２０より前側の部分、及び天面部２と左側面部４ｂとの稜線のうち第１折線２０より前側の部分には、それぞれミシン目（破断線）３０、３０が形成されている。又、天面部２の前端縁は湾曲して前面部８を形成し、前面部８の先端は舌片状の自由端２ｅとなって底面部１０の前端縁に回り込んでいる。自由端２ｅの中央部にはコの字切込み２８が設けられ、コの字切込み２８を底面部１０のスリット１０ｂに係合することにより、自由端２ｅを底面部１０に係止可能になっている。
【００１５】
右側面部４ａ及び左側面部４ｂの前端縁は、メモ帳７０の前端面７０ｃの断面形状に沿った曲線で構成されているとともに、舌片状のメモ帳押え４ｃ、４ｄを備えている。又、この前端縁は前面部８と切り離されている。そして、右側面部４ａ及び左側面部４ｂの中央部付近には、破断線３０に平行な線分、及びこの線分の両端から延びて破断線３０の両端にそれぞれ接続する２つの線分からなる第２の破断線３２が形成されている。
【００１６】
底面部１０には、上記したスリット１０ｂの他、後面部６側に後述する切込み１０ａ（係止手段）が設けられている。
【００１７】
次に、包装ケース５０にメモ帳７０を収容する態様について、図３を参照して説明する。この図において、コの字切込み２８をスリット１０ｂから外すと、プラスチック素材の弾性のため、前面部８は上側（天面部２側）へ撓み、右側面部４ａと左側面部４ｂの前端縁、及び底面部１０の前端縁とにより前面開口が形成される。そして、この前面開口からメモ帳７０を挿入した後、前面部８を下側へ撓ませて該開口を閉塞し、コの字切込み２８をスリット１０ｂに係合することにより、メモ帳７０を包装ケース５０内に収容し、包装することができる。なお、本発明では、天面部２のうち第１折線２０から自由端２ｅに至る部分を立上り片２ａと称し、残りの部分を端部体２ｂと称する。
【００１８】
次に、包装ケース５０を開封する態様について、図４、図５を参照して説明する。なお、各図においてはメモ帳７０を図示しないが、実際には包装ケース５０にメモ帳７０が収容されているものとする。
【００１９】
図４において、まず、コの字切込み２８をスリット１０ｂから外すと、前記図３と同様、プラスチック素材の弾性力によって立上り片２ａの前面部８は上側（天面部２側）へ撓む。この状態で、立上り片２ａと右側面部４ａ及び左側面部４ｂとを破断線３０で切り離した後、第１折線２０で立上り片２ａを谷折りして垂直に立ち上がらせると、ケースが開封されメモ帳７０の表面７０ａが表出する。これにより、メモ帳７０が使用可能となる。
【００２０】
続いて、立上り片２ａを第２折線２２〜第４折線２６で適宜折ることにより、立上り片２ａを立設させて各種機能（この実施形態では筆記具立てであるが、その他、付箋紙等の保持や広告板など）を付与する。まず、第２折線２２で立上り片２ａを天面部の端部体２ｂ側へ９０度の角度で折り曲げる。次に、第３折線２４で立上り片２ａを９０度の角度で折り曲げると、立上り片２ａのうち第３折線２４と第４折線２６の間の部分が後面部６にほぼ接するようになる。次に、第４折線２６で立上り片２ａを９０度の角度で折り曲げると、立上り片２ａのうち第４折線２６より先端の部分が底面部１０にほぼ接するようになる。最後に、コの字切込み２８を切込み１０ａに係合させ、自由端２ｅを係止する。
【００２１】
立上り片２ａが立設した状態を図５に示す。右側面部４ａ（左側面部４ｂ）から見ると、立上り片２ａは矩形状になっていて、筆記具保持用孔３６、３８が同軸上に位置している。従って、筆記具保持用孔３６、３８に筆記具を保持させることができる。なお、右側面部４ａ及び左側面部４ｂに設けられたメモ帳押え４ｃ、４ｄは、メモ帳７０がケース内でずれるのを防止する。又、メモ帳７０を使用するに伴いメモ帳の厚みが減少してゆくので、メモ帳をめくる際に右側面部４ａ及び左側面部４ｂが邪魔となる場合がある。そこで、メモ帳が少なくなると、第２の破断線３２で右側面部４ａ（左側面部４ｂ）の一部（図５のハッチ部分）を切り離すことにより、メモ帳をめくり易くなる。
【００２２】
このように、本実施形態においては、包装ケースを代用することで、表裏連続した台紙がなくとも立設物を組み立てることができ、又、メモ帳使用時に包装ケースが捨てられる無駄がない。そして、天面部のすべてを切り離すのではなく、端部体２ｂを残しているので、端部体２ｂ、後面部６、側面部４ａ、４ｂ、及び底面部１０が接続された箱構造により強度が保たれるとともに、この箱構造内にメモ帳を保持することができ、使用時にメモ帳がずれるのを防止することができる。
【００２３】
次に、本発明の包装ケースの第２実施形態について図６、図７を参照して説明する。この実施形態では、メモ帳として冊子状の付箋体が用いられている。この付箋体は、付箋紙の裏面の端部に形成された易剥離性の粘着層を介して各付箋紙が積層されているものである。
【００２４】
図６において、包装ケース５１は、包装ケース５０と略同様の構成を有し、天面部３、立上り片３ａ、右側面部４０ａ及び左側面部４０ｂ、後面部６Ａ、底面部１００、切込み１００ａ、スリット１００ｂ、第１折線２０Ａ、第２折線２２Ａ、第３折線２４Ａ、第４折線２６Ａ、コの字切込み２８Ａ、ミシン目（破断線）３０Ａは、前記包装ケース５０における対応する構成と同様であるので説明を省略する。
【００２５】
包装ケース５１は、第２の破断線３２Ａ及び筆記具保持用孔３６Ａの位置が前記包装ケース５０の場合と異なる。つまり、第２の破断線３２Ａは、第１折線２０Ａから右側面部４０ａ（及び左側面部４０ｂ）の下端へ向かって斜めに延びるとともに、右側面部４０ａ（及び左側面部４０ｂ）の下端から前端縁へ向かって延びている。又、筆記具保持用孔３６Ａは、天面部３のうち第１折線２０Ａと第２折線２２Ａとの間の部分に穿設されている。なお、図のハッチ部分は、右側面部４０ａ（及び左側面部４０ｂ）のうち第２の破断線３２Ａによって切り離される部分を示す。
【００２６】
次に、立上り片３ａが立設した状態を図７に示す。この実施形態では、メモ帳の最初の使用時から、第２の破断線３２Ａによって右側面部４０ａ（及び左側面部４０ｂ）の一部を下端まで取り除くようになっている。そのため、収容した付箋紙体を包装ケース５１から抜き差しし易くなっており、ケースが付箋紙ホルダの機能を有している。又、この実施形態では、包装ケース５１を壁掛けできるよう（底面部１００が壁と平行となるよう）、筆記具保持用孔３６Ａの形成面が底面部１００と垂直になっている。
【００２７】
なお、上記した各実施形態では、包装ケースがメモ帳と略同一形状の場合について説明したが、これに限定されることはない。例えば、最近ではメモ帳や付箋紙として四角形以外の種々の形状のものが製造されているが、包装ケース自体は直方体形であって構わない。
【００２８】
又、上記した各実施形態では筆記具保持用孔を設けたが、例えばスリット状の開口を立上り片に設け、この開口に各種付箋、消しゴム等を差し入れ可能にしてもよい。
【００２９】
本発明は上記各実施例に限定されず、本発明の技術思想の範囲内において、各実施例は適宜変更され得ることは明らかである。
【００３０】
【発明の効果】
以上説明したように、本発明によれば、包装ケースの天面部における立上り片を用いることで、表裏連続した台紙がなくとも筆記具立て等に利用できる立設物を組み立てることができ、上記台紙が不要となる。又、メモ帳使用時に包装ケースが捨てられる無駄がない。
【００３１】
そして、破断線が天面部のうち後面部と接続していない部分を一部切り離すよう構成されているので、天面部のすべてを切り離すのではなく、天面部の残った部分、後面部、側面部、及び底面部が接続された箱構造により強度が保たれるとともに、この箱構造内にメモ帳を保持することができ、使用時にメモ帳がずれるのを防止することができる。
【図面の簡単な説明】
【図１】本発明の包装ケースに収容されるメモ帳の構成を示す斜視図である。
【図２】本発明の包装ケースの一実施形態を示す斜視図である。
【図３】包装ケースにメモ帳を収容する態様を示す斜視図である。
【図４】包装ケースを開封する態様を示す斜視図である。
【図５】包装ケースから立設構造を組み立てる態様を示す斜視図である。
【図６】本発明の包装ケースの他の実施形態を示す斜視図である。
【図７】図６の包装ケースから立設構造を組み立てる態様を示す斜視図である。
【符号の説明】
２、３                        天面部
２ａ、３ａ                    立上り片
２ｂ                          天面部の端部体
２ｅ                          自由端
４ａ、４ｂ、４０ａ、４０ｂ    側面部
８                            前面部
１０、１００                  底面部
１０ａ、１００ａ              切込み（係止手段）
２０、２０Ａ                  第１折線
２２、２２Ａ                  第２折線
２４、２４Ａ                  第３折線
３６、３６Ａ、３８            筆記具保持用孔（孔）
３０、３０Ａ                  ミシン目（破断線）
３２、３２Ａ                  第２の破断線
７０                          メモ帳
【図１】
2004243586.tif 000003
【図２】
2004243586.tif 000004
【図３】
2004243586.tif 000005
【図４】
2004243586.tif 000006
【図５】
2004243586.tif 000007
【図６】
2004243586.tif 000008
【図７】
2004243586.tif 000009